(57)【要約】【課題】本発明は、水上汚濁物質除去装置に係り、より詳しくは、水面に油やアオコ、赤潮などの水上汚濁物が生成された場合、水上汚濁物を吸入し、吸入された水上汚濁物が吸着布を通過するようにして吸着布を介して水上汚濁物を吸着させるが、吸着布が周期的または持続的にローリングされるようにして、汚濁物に汚染された吸着布の吸着性能を継続的に維持されるようにする水上汚濁物除去装置に関する。【解決手段】本発明に係る本発明の水上汚濁物除去装置は、油や赤潮、アオコなどの水上汚濁物を除去する水上汚濁物除去装置において、流入口から水上汚濁物を吸入する吸入配管と；前記吸入配管に連結され、前記流入口から前記吸入配管の排出口側に前記水上汚濁物が吸入されるように吸入する吸入ポンプと；前記吸入配管の流入口の周辺に設置される吸着布と；を含んでなり、前記吸着布は、前記流入口で移動可能に設置され、前記水上汚濁物を吸着することを特徴とする。【選択図】図１
2017505863.tif 000002
【特許請求の範囲】
【請求項１】
油や赤潮、アオコなどの水上汚濁物を除去する水上汚濁物除去装置において、
巻物型吸着布の移動ができるように上下移動経路の固定化孔が形成されているか或いは形成されておらず、該固定化孔が形成されている場合には、該固定化孔を介して巻物型吸着布が移動するが、上下移動経路の固定化孔が形成されているか或いは形成されていない場合には、巻物型吸着布は吸着布筒の中心軸を中心に巻き取られるようになり、吸着布筒は油、赤潮、アオコがある水の上下または水面の上下に設けられることを特徴とする、水上汚濁物除去装置。
【請求項２】
前記吸着布筒が油、赤潮、アオコのある水の上下または水面の上下に設けられるとき、上下の吸着布筒は格子状などの支持板によって連結及び支持され、吸着布が格子状などの支持板の前または後ろで移動するとき、プロペラが格子状などの支持板の前または後ろで回転することを特徴とする、請求項１に記載の水上汚濁物除去装置。
【請求項３】
前記プロペラは円筒状などの管の内部に設けられることを特徴とする、請求項２に記載の水上汚濁物除去装置。
【請求項４】
プロペラの中心軸は、ベルトプーリーが形成され、水面上に設けられるモーターなどの駆動装置とベルトで連結されて駆動されるか、或いはギヤによって噛み合って回転することを特徴とする、請求項２または３に記載の水上汚濁物除去装置。
【請求項５】
第２流入口から水上汚濁物質を吸入する吸入配管；
前記吸入配管に連結され、前記第２流入口から前記吸入配管の排出口側へ前記水上汚濁物が吸入されるように吸入する吸入ポンプ；及び
前記吸入配管の第２流入口の周辺に設置される吸着布；をさらに含んでなり、
前記吸着布は、前記第２流入口で移動できるように設置され、前記水上汚濁物を吸着することを特徴とする、請求項１に記載の水上汚濁物除去装置。
【請求項６】
前記ポンプの流入口は第１流入口が水面の下に浸かるようになり、ポンプの第１流入口の前方に、第１流入口を隙間なく包み込むもう一つの、第１流入口よりも直径の大きい第２流入口を有する吸入配管が形成されるが、第２流入口が水面の上部と下部の間にまたがるように形成されることを特徴とする、請求項５に記載の水上汚濁物除去装置。
【請求項７】
第２流入口が水面の上部と下部の間にまたがり、第１流入口が水面の下の水に浸かるようにする浮力装置が、吸入配管の内側または外側に形成されることを特徴とする、請求項６に記載の水上汚濁物除去装置。
【請求項８】
第２流入口の上部と下部には、吸着布の移動が可能であり、水がポンプなどによって流入するときに左右に偏らないように固定させる固定化孔がそれぞれ形成されることを特徴とする、請求項５〜７のいずれか一項に記載の水上汚濁物除去装置。
【請求項９】
前記吸入配管の流入口に設置され、
ポンプによって水が流入するときに前記吸着布が後ろに押されて流入口へ吸入されることを防止するための支え膜の機能をする格子状などの支え膜をさらに含むことを特徴とする、請求項５〜８のいずれか一項に記載の水上汚濁物除去装置。
【請求項１０】
前記吸入配管の上部に配置されるか、或いは吸入配管がない場合には水面上の船体の一部に配置され、外周縁に前記吸着布の一端が巻かれる第１ローラー；
前記第１ローラーに連結され、前記第１ローラーを回転させる手動で、すなわち手で回転させて回すハンドルが形成されるか、或いは減速ギヤや減速のためのベルトなどを有するもしくは有しない第１電動機が形成され、
吸着布が巻かれる前記第１ローラーを包み込むが、吸着布が下部に移動できるようにする第１孔を有し、
前記第１電動機を固定させる上部ケース；
前記吸入配管の下部に配置され、
外周縁に前記吸着布の他端が巻かれる第２ローラー；及び
吸着布が巻かれる前記第２ローラーを包み込むが、吸着布が上部に移動できるようにする第２孔を有する下部ケース；をさらに含むことを特徴とする、請求項１または請求項５〜９のいずれか一項に記載の水上汚濁物除去装置。
【請求項１１】
前記上部ケースと前記吸入配管とを結合させる第１結合具、及び
前記下部ケースと前記吸入配管とを結合させる第２結合具をさらに含み、
吸入配管がない場合は、上部ケースと下部ケースとが結合具によって結合されるか、或いは吸着布が水面と多く接触するようにしながら一体的に形成されることを特徴とする、請求項１または請求項５〜１０のいずれか一項に記載の水上汚濁物除去装置。
【請求項１２】
吸着布の移動ができるように上下移動経路の固定化孔が第２流入口の上部と下部に形成される場合、第２流入口の下部に形成される固定化孔は、水が吸入配管の下側の固定化孔を介して流入すると、吸入配管の前方の第２流入口から水を吸入する力が弱くなり、よって、水面上の汚染された水の吸入が弱くなり、吸入配管の下側の固定化孔を介して、汚染されていない水が流入するので、第２流入口の下部の固定化孔の前と後ろに、水が流入しないように弾力的な素材で水防用部材が設けられる、これらを互いに圧着することにより水が流入しないようにするとともに、その他の第２流入口の下部の固定化孔の側面も壁のように形成されて水の流入を遮断することを特徴とする、請求項５〜１１のいずれか一項に記載の水上汚濁物除去装置。
【請求項１３】
前記第２流入口に設置されるか或いは結合具によって結合され、吸入配管の長さが可変する長さ調節管；及び
前記長さ調節管の側部に結合され、前記長さ調節管の長さを調節する長さ調節装置；をさらに含むことを特徴とする、 請求項１または請求項５〜１２のいずれか一項に記載の水上汚濁物除去装置。
【請求項１４】
前記水上汚濁物除去装置は、船舶、潜水艇、ロボット船舶、ＲＣ船舶、ロボット潜水艇及びＲＣ潜水艦のいずれか一つに結合されて利用されることを特徴とする、 請求項１〜１３のいずれか一項に記載の水上汚濁物除去装置。
【請求項１５】
前記吸入配管の長さが可変する長さ調節管の流入口の周辺に設置される水中カメラ；及び
前記水中カメラに連動し、前記水中カメラで撮影した映像の入力を受けて出力するモニター；をさらに含むことを特徴とする、請求項１〜１４のいずれか一項に記載の水上汚濁物除去装置。
【請求項１６】
前記水中カメラの周辺に設置され、前記水中カメラの撮影方向に光を照射する照明部；をさらに含むことを特徴とする、請求項１〜１５のいずれか一項に記載の水上汚濁物除去装置。
【請求項１７】
船舶の場合に電源スイッチの動作に連動して電気信号を出力するスイッチと、船舶の略中心部の上部にＩＰカメラが１方向以上４方向に形成され、船舶の略中心部の上部に形成されたＩＰカメラの視覚で、画像センサーに感知された画像が制御部に入力され、制御部に格納された赤潮またはアオコまたは油の画像と色が同じである場合、制御部に形成された分度器型の方向線に基づいて、赤潮またはアオコまたは油がないところから赤潮またはアオコまたは油が形成されたところへ向かうように、制御部に形成された分度器型の方向線に基づいて、赤潮またはアオコまたは油がないところから、赤潮またはアオコまたは油が形成されたところの中でも最も近いところを分度器型の方向線で認知し、その方向に船体が移動するように方向キーの角度を制御部で計算して、計算された方向キーの角度だけ移動するように電気信号として出力する制御手段と、前記制御手段から出力される信号に基づいて動作し、船舶の方向キーの角度を調節する船舶の角度調節手段と、該角度調節手段によって角度が調節されると、調節された電気信号が制御部に入力され、調節された電気信号が制御部に入力されると、船舶のプロペラのモーターを動作させる電気信号として出力する制御手段と、該制御手段から出力される信号に基づいて動作し、プロペラを動作させるアクチュエータと、赤潮またはアオコまたは油が形成されたところに到着すると、画像センサーによって制御部に入力された画像の色が、制御部では赤潮またはアオコまたは油が形成されたところの画像のそれと一致すると、水上汚濁物除去装置のポンプ、及び第１ローラーの連結された第１電動機を駆動させる電気信号を出力する制御手段と、該制御手段から出力される信号に基づいて駆動する、水上汚濁物除去装置のポンプ及び第１ローラーの連結された第１電動機とを含んでなることを特徴とする、請求項１〜１６のいずれか一項に記載の水上汚濁物除去装置。
【請求項１８】
船舶の長さ調節管（１６）の吸入口（１６ａ）、または潜水艇の電源スイッチの動作に連動して電気信号を出力するスイッチと、船舶の長さ調節管（１６）の吸入口（１６ａ）または潜水艇の水中ＩＰカメラの場合に、水中に形成されたＩＰカメラの視覚で、画像センサーに感知された画像が制御部に入力され、制御部に格納された赤潮またはアオコまたは油の画像と色が同じである場合、制御部に形成された３６０度の分度器型の方向線に基づいて、赤潮またはアオコまたは油が少ないところから、赤潮またはアオコまたは油が多く形成されたところを３６０度の分度器型の方向線で認知し、その方向に船体が移動するように方向キーの角度と船舶の長さ調節管（１６）の吸入口（１６ａ）を制御部で計算し、計算された左右、上下の角度だけ移動するように電気信号として出力する制御手段と、該制御手段から出力される信号に基づいて動作して、船舶の長さ調節管（１６）の吸入口（１６ａ）または潜水艇の上下、左右の角度を調節する船舶の長さ調節管（１６）の吸入口（１６ａ）または潜水艇の角度調節手段と、該角度調節手段によって角度が調節されると、調節された電気信号が制御部に入力され、調節された電気信号が制御部に入力されると、船舶の長さ調節管（１６）の吸入口（１６ａ）または潜水艇のプロペラのモーターを動作させる電気信号として出力する制御手段と、該制御手段から出力される信号に基づいて動作し、プロペラを動作させるアクチュエータと、赤潮またはアオコまたは油が形成されたところに到着すると、画像センサーによって制御部に入力された画像の色が、制御部では赤潮またはアオコまたは油が形成されたところの画像のそれと一致すると、水上汚濁物除去装置のポンプ、及び第１ローラーの連結された第１電動機を駆動させる電気信号を出力する制御手段と、該制御手段から出力される信号に基づいて動作する、水上汚濁物除去装置のポンプ及び第１ローラーの連結された第１電動機とを含んでなることを特徴とする、請求項１または請求項５〜１７のいずれか一項に記載の水上汚濁物除去装置。
【請求項１９】
船舶の夜間用光を照射する照明部及び水中カメラの周辺に設置され、前記水中カメラの撮影方向に光を照射する照明部がレーザー光であることを特徴とする、水上汚濁物除去装置。
【請求項２０】
電源として太陽電池を形成したことを特徴とする、請求項１〜１９のいずれか一項に記載の水上汚濁物除去装置。
【発明の詳細な説明】
【技術分野】
【０００１】
本発明は、水上汚濁物質除去装置に係り、より詳しくは、水面に油やアオコ、赤潮などの水上汚濁物が生成された場合、水上汚濁物を吸入し、吸入された水上汚濁物が吸着布を通過するようにして吸着布を介して水上汚濁物を吸着させるが、吸着布が周期的または持続的にローリングされるようにして、水上汚濁物に汚染された吸着布の吸着性能を継続的に維持されるようにする水上汚濁物除去装置に関する。
【背景技術】
【０００２】
最近、油を輸送する精油船舶の衝突事故などにより油が海水に流出して海水面が汚染される事故が頻繁に発生している。
この場合、油を除去する従来の防除方式は、水上汚濁物が拡散しないように水上汚濁物を囲い込む浮遊型フェンス（オイルブーム）を設置した後、吸着布を油の存在する位置に浸して吸着布に油がくっ付くようにした後、吸着布に染み込んだ油滓を再び除去する方式と、水上汚濁物に油処理剤を散布して水上汚濁物を分解させる方式に大別される。
【０００３】
ここで、油処理剤を散布する方式は、海洋生態系そのものを破壊する副作用があるため、緊急な事態が発生した場合を除いては使用していない。
また、海岸に押されてきた油の除去方式は、砂や砂利に油滓がくっ付くようにした後、油滓がくっ付いた砂や砂利を加熱して殺菌する方式として知られている。しかし、このように油滓がくっ付いた砂や砂利を加熱する方式は、加熱の際に海上微生物まで全て除去される問題点が知られている。
【０００４】
したがって、現存する油を除去する方式の中で、最も確実で問題点を発生させない方式は、吸着布を用いて油滓を除去する方式である。
ところが、このように吸着布を用いて油滓を除去する方式は、吸着布にくっ付いた油滓を除去する作業が非常にやかましく、吸着布にくっ付いた油滓の除去にあまりにも多くの時間がかかるため、油滓を除去する効率が低下するという問題点が知られている。
【０００５】
一方、大韓民国登録特許第１０−１２２１５７９号の「船舶に備えられたアオコ及び赤潮除去装置」では、ろ過網を備えて浮遊物を除去しながら汚染水を誘導する原水流入部と；前記原水流入部を介して汚染水をポンピングする原水ポンプと；前記原水ポンプを介して供給された汚染水を攪拌するインラインミキサーと；前記インラインミキサーにある汚染水を浄化するための薬品を投入する薬品投入部と；汚染水に含有された異物の電気的な凝集及び汚染水の酸化還元処理を施す電気セルと；前記電気セルで処理された汚染水を所定の時間帯留するようにしながら化学的反応によって浄化させ、前記汚染水に含有された微粒子を上部に浮遊させて除去することにより、上澄み水として浮上分離処理する浮上分離槽と；前記浮上分離槽を介して浄化された上澄み水に含有された微粒子凝集物を濾過するディスクフィルターと；前記ディスクフィルターを介して微粒子凝集物が濾過された上澄み水を海へ排出する排出口と；入力されたＰＬＣ（Ｐｒｏｇｒａｍｍａｂｌｅ  Ｌｏｇｉｃ  Ｃｏｎｔｒｏｌｌｅｒ）プログラムによって汚染水を処理するための制御部と；を含んで構成されることにより、海水や上水源に形成されたアオコ、赤潮、並びにアオコ及び赤潮の原因物質を除去することができる装置が開示されている。
【０００６】
しかし、従来の先行技術は、塩水がポンプによって流入する過程でろ過網によってろ過され、流入した汚染水が化学成分の薬品によって浄化処理されるものなので、前述した油処理剤によって生態系が破壊されるという問題点をそのまま伴っている。
【０００７】
したがって、このように油だけでなく、赤潮やアオコなどの水上汚濁物を防除する作業の際に、水域生態系を破壊させることなく水上汚濁物を非常に容易に除去することが可能な防除手段が設けられるべき必要性がある。
【発明の概要】
【発明が解決しようとする課題】
【０００８】
本発明は、前述したような問題点を解決するために案出されたもので、解決しようとする技術的課題は、水域生態系を破壊させることなく、水上汚濁物を非常に容易に除去することができる水上汚濁物除去装置を提供することにある。
【課題を解決するための手段】
【０００９】
前述した技術的課題を達成するための本発明の水上汚濁物除去装置は、油や赤潮、アオコなどの水上汚濁物を除去する水上汚濁物除去装置において、流入口から水上汚濁物を吸入する吸入配管と；前記吸入配管に連結され、前記流入口から前記吸入配管の排出口側に前記水上汚濁物が吸入されるように吸入する吸入ポンプと；前記吸入配管の流入口の周辺に設置される吸着布と；を含んでなり、前記吸着布は、前記流入口で移動可能に設置され、前記水上汚濁物を吸着することを特徴とする。
【００１０】
ここで、前記水上汚濁物除去装置は、前記吸入配管の上部に配置されるか、或いは吸入配管がない場合には水面上の船体の一部に配置され、外周縁に前記吸着布の一端が巻かれる第１ローラーと；前記第１ローラーに連結され、前記第１ローラーを回転させる手動で、すなわち手で回転させて回すハンドルが形成されるか、或いは減速ギヤや減速のためのベルトなどを有する若しくは有しない第１電動機が形成され、前記第１電動機を固定させる上部ケースと；前記吸入配管の下部に配置され、外周縁に前記吸着布の他端が巻かれる第２ローラーと；吸着布が巻かれる前記第２ローラーを包み込み、吸着布が上部に移動できるようにする第２孔を有する下部ケースと；をさらに含んで構成できる。
【００１１】
また、前記水上汚濁物除去装置は、前記上部ケースと前記吸入配管とを結合させる第１結合具；及び前記下部ケースと前記吸入配管とを結合させる第２結合具；をさらに含んで構成できる。
【００１２】
また、前記水上汚濁物除去装置は、第２流入口の上部と下部には、吸着布の移動が可能であり、水がポンプなどによって流入するときに左右に偏らないように固定させる固定化孔がそれぞれ形成され、吸着布の移動ができるように上下移動経路の固定化孔が第２流入口の上部と下部に形成される場合に、第２流入口の下部に形成される固定化孔は、水が吸入配管の下側の固定化孔を介して流入すると、吸入配管の前方の第２流入口から水を吸入する力が弱くなり、よって、水面の汚染された水の吸入が弱くなる。
【００１３】
吸入配管の下側の固定化孔を介して、汚染されていない水が流入するため、第２流入口の下部の固定化孔の前と後ろに、水が流入しないように弾力性のある素材で水防用部材が設けられ、これらを互いに圧着することにより水が流入しないようにするとともに、その他の第２流入口の下部の固定化孔の側面も壁のように形成されて水の流入を遮断する。
【００１４】
また、前記水上汚濁物除去装置は、前記吸入配管の流入口に設置される格子状支え膜；をさらに含んで構成できる。
【００１５】
また、前記水上汚濁物除去装置は、前記吸入配管の周辺に結合される浮力装置；をさらに含み、前記浮力装置は、前記流入口の下部空間を水面の下に配置されるようにし、前記流入口の上部空間を水面の上部に配置されるようにして前記吸入配管の浮力を調節することができる。
【００１６】
また、前記水上汚濁物除去装置は、船舶または潜水艇に結合されて利用できる。
この場合、前記吸入配管は、ポンプの流入口は第１流入口が水面の下に浸かるようになり、油、赤潮、アオコのある水とポンプの第１流入口の前方には、第１流入口を隙間なく包み込むもう一つの、第１流入口よりも直径の大きい第２流入口を有するが、第２流入口が水面の上部と下部との間にまたがるように構成できる。
【００１７】
また、前記水上汚濁物除去装置は、前記流入口に設置され、長さが可変する長さ調節管；及び該長さ調節管の側部に結合され、前記長さ調節管の長さを調節する長さ調節装置；をさらに含んで構成できる。
【００１８】
また、前記水上汚濁物除去装置は、前記流入口の周辺に設置される水中カメラ；及び前記水中カメラに連動し、前記水中カメラで撮影した映像の入力を受けて出力するモニター；をさらに含んで構成できる。
【００１９】
また、前記水上汚濁物除去装置は、前記水中カメラの周辺に設置され、前記水中カメラの撮影方向に光を照射する照明部；をさらに含んで構成できる。
【発明の効果】
【００２０】
本発明は、吸着布を用いるため水域生態系に影響を与えないうえ、汚染されていない吸着布を周期的または継続的に流入口に配置させて汚染物を除去するから、手作業で吸着していた従来の方式よりも非常に効率的な方式で水上汚濁物を除去することができるという効果を発揮する。
【図面の簡単な説明】
【００２１】
【図１】本発明の一実施例に係る水上汚濁物除去装置を正面から見た状態の断面図である。
【図２】図１に示した水上汚濁物除去装置の左側面図である。
【図３】図１に示した水上汚濁物除去装置の流入口の周辺を拡大して示す部分斜視図である。
【図４】図３の吸入配管の流入口に延長配管をさらに設置した状態で延長配管に長さ調節管を設置した状態の構成図である。
【発明を実施するための形態】
【００２２】
本発明の水上汚濁物除去装置は、油や赤潮、アオコなどの水上汚濁物を除去する水上汚濁物除去装置において、
巻物型吸着布の移動ができるように上下移動経路の固定化孔が形成されているか或いは形成されておらず、該固定化孔が形成されている場合には、該固定化孔を介して巻物型吸着布が移動するが、上下移動経路の固定化孔が形成されているか或いは形成されていない場合には、巻物型吸着布は吸着布筒の中心軸を中心に巻き取られるようになり、吸着布筒は油、赤潮、アオコがある水の上下または水面の上下に設けられ、第２流入口から水上汚濁物質を吸入する吸入配管；
【００２３】
前記吸入配管に連結され、前記第２流入口から前記吸入配管の排出口側へ前記水上汚濁物が吸入されるように吸入する吸入ポンプ；及び
前記吸入配管の第２流入口の周辺に設置される吸着布；をさらに含んでなり、
前記吸着布は、前記第２流入口で移動できるように設置され、前記水上汚濁物を吸着する。
【００２４】
前記ポンプの流入口は第１流入口が水面の下に浸かるようになり、ポンプの第１流入口の前に、第１流入口を隙間なく包み込むもう一つの、第１流入口よりも直径の大きい第２流入口を有する吸入配管が形成されるが、第２流入口が水面の上部と下部の間にまたがるように形成される。
【００２５】
第２流入口が水面の上部と下部の間にまたがり、第１流入口が水面の下の水に浸かるようにする浮力装置が吸入配管の内側または外側に形成される。
第２流入口の上部と下部には、吸着布の移動が可能であり、水がポンプなどによって流入するときに左右に偏らないように固定させる固定化孔がそれぞれ形成される。
【００２６】
前記吸入配管の流入口に設置され、
ポンプによって水が流入するときに吸着布が後ろに押されて流入口へ吸入されることを防止するための支え膜の機能をする格子状などの支え膜をさらに含む。
【００２７】
また、本発明の水上汚濁物除去装置は、吸入配管の上部に配置されるか、或いは吸入配管がない場合には水面上の船体の一部に配置され、外周縁に前記吸着布の一端が巻かれる第１ローラー；
前記第１ローラーに連結され、前記第１ローラーを回転させる手動で、すなわち手で回転させて回すハンドルが形成されるか、或いは減速ギヤや減速のためのベルトなどを有する若しくは有しない第１電動機が形成され、
吸着布が巻かれる前記第１ローラーを包み込むが、吸着布が下部に移動できるようにする第１孔を有し、
前記第１電動機を固定させる上部ケース；
前記吸入配管の下部に配置され、
外周縁に前記吸着布の他端が巻かれる第２ローラー；及び
吸着布が巻かれる前記第２ローラーを包み込み、吸着布が上部に移動できるようにする第２孔を有する下部ケース；をさらに含む。
【００２８】
前記水上汚濁物除去装置は、上部ケースと前記吸入配管とを結合させる第１結合具、及び
前記下部ケースと前記吸入配管とを結合させる第２結合具をさらに含み、
吸入配管がない場合は、上部ケースと下部ケースとが結合具によって結合されるか、或いは吸着布が水面と多く接触するようにしながら一体的に形成される。
【００２９】
吸着布の移動ができるように上下移動経路の固定化孔が第２流入口の上部と下部に形成される場合に、第２流入口の下部に形成される固定化孔は、水が吸入配管の下側の固定化孔を介して流入すると、吸入配管の前方の第２流入口から水を吸入する力が弱くなり、よって、水の上の汚染された水の吸入が弱くなり、吸入配管の下側の固定化孔を介して汚染されていない水が流入するため、第２流入口の下部の固定化孔の前と後ろに、水が流入しないように弾力的な素材で水防用部材が設けられ、これらを互いに圧着することにより水が流入しないようにするとともに、その他の第２流入口の下部の固定化孔の側面も壁のように形成されて水の流入を遮断する。
【００３０】
前記水上汚濁物除去装置は、第２流入口に設置されるか或いは結合具によって結合され、吸入配管の長さが可変する長さ調節管；及び
前記長さ調節管の側部に結合され、前記長さ調節管の長さを調節する長さ調節装置；をさらに含む。
【００３１】
前記水上汚濁物除去装置は、船舶、潜水艇、ロボット船舶、ＲＣ船舶、ロボット潜水艇及びＲＣ潜水艦のいずれか一つに結合されて利用される。
【００３２】
前記水上汚濁物除去装置は、前記吸入配管の長さが可変する長さ調節管の流入口の周辺に設置される水中カメラ；及び
前記水中カメラに連動して、前記水中カメラで撮影した映像の入力を受けて出力するモニター；をさらに含む。
【００３３】
前記水上汚濁物除去装置は、水中カメラの周辺に設置され、前記水中カメラの撮影方向に光を照射する照明部；をさらに含む。
【実施例１】
【００３４】
以下、上記目的の他に、本発明の他の目的及び特徴は、添付図面を参照した実施例についての説明から明らかにされるであろう。
【００３５】
特に他に定義しない限り、技術用語や科学用語を含み、ここで使われるすべての用語は、本発明の属する技術分野における通常の知識を有する者によって一般的に理解されるものと同じ意味を持っている。一般的に使われる辞典に定義されている用語は、関連技術の文脈上で持つ意味と一致する意味を持つものと解釈されなければならず、本明細書で明らかに定義しない限り、理想的な意味または過度に形式的な意味に解釈されない。
【００３６】
以下、本発明の実施例に係る水上汚濁物除去装置を図１〜図４に基づいて詳細に説明する。
図１は本発明の一実施例に係る水上汚濁物除去装置を正面から見た状態の断面図である。図２は図１に示した水上汚濁物除去装置の左側面図である。図３は図１に示した水上汚濁物除去装置の流入口の周辺を拡大して示す部分斜視図である。
【００３７】
図１〜図３に示すように、本発明の一実施例に係る水上汚濁物除去装置は吸入配管１、吸入ポンプ２、及び吸着布３を含む。
【００３８】
前記吸入配管１は、第１流入口１ｃが水面の下に浸かるようになり、油や赤潮、アオコなどのある水とポンプの第１流入口１ｃの前方に、第１流入口１ｃを隙間なく包み込むもう一つの、第１流入口１ｃよりも直径の大きい第２流入口１ａを有し、第２流入口１ａが水面の上部と下部との間にまたがるように形成されることにより、水を吸入する場合に配管の内側が十分に水に浸かるように構成される。
【００３９】
前記吸入ポンプ２は、吸入配管１に連結されるが、吸入配管１のボディのうち、水面の上部に配置される区間に連結されて結合できる。このような吸入ポンプ２は、流入口１ａから吸入配管１の排出口１ｂ側へ水上汚濁物が吸入されるように吸入する。
【００４０】
前記吸着布３は、吸入配管１の流入口１ａの周辺に設置される。吸着布３は、流入口１ａで移動できるように設置され、流入口１ａに流れ込んでくる油や赤潮、アオコなどの水上汚濁物を吸着する。
【００４１】
このように、吸入配管１、吸入ポンプ２及び吸着布３を備えた本発明の一実施例に係る水上汚濁物除去装置は、吸入ポンプ２を駆動させて、水面上に設置される吸入配管１の第２流入口１ａを介して水上汚濁物質の含まれた水を吸入するが、この場合、吸着布３を下部から上部の方向に周期的または継続的に移動させることにより、汚染されていない吸着布３を第２流入口１ａの周辺に周期的または継続的に配置させて水上汚濁物を除去することができる。
【００４２】
したがって、本発明の一実施例に係る水上汚濁物除去装置は、吸着布３を利用するため水域生態系に影響を与えないうえ、汚染されていない吸着布３を周期的または継続的に第１流入口１ａの周辺に配置させて汚濁物を除去するから、手作業で吸着していた従来の方式よりも非常に効率的な方式で水上汚濁物を除去することができる。
【００４３】
また、本発明の一実施例に係る水上汚濁物除去装置は、第１ローラー４、第１電動機５、上部ケース６、第２ローラー７、及び下部ケース８をさらに含む。
【００４４】
前記第１ローラー４は吸入配管１の上部に配置される。この場合、第１ローラー４は外周縁に吸着布３の一端が巻かれる。
【００４５】
前記第１電動機５は、第１ローラー４に連結され、前記第１ローラー４を回転させる。
前記上部ケース６は、吸着布３が巻かれる第１ローラー４を包み込むが、吸着布３が下部に移動できるようにする第１孔を有し、第１電動機５を包む。この場合、上部ケース６は、第１電動機５が固定できる空間を設けることにより、第１電動機５と第１ローラー４が特定の位置に固定される。このような上部ケース６は、第１ローラー４に巻かれた汚染された吸着布３と第１電動機５を包み込むことにより、汚染された吸着布３の滓が外部に排出されるか或いは電動機が水によって短絡することを防止する。
【００４６】
前記第２ローラー７は、吸入配管１の下部に配置され、外周縁に吸着布３の他端が巻かれる。
【００４７】
前記下部ケース８は、吸着布３の巻かれる第２ローラー７を包み込むが、吸着布３が上部に移動できるようにする第２孔を有する。この場合、下部ケース８は、第２ローラー７が回動自在に固定できる空間を設ける。
【００４８】
また、吸入配管１の第２流入口１ａの上部と下部には、吸着布３の移動が可能であり、水がポンプなどによって流入するときに左右に偏らないように固定させる固定化孔３ａがそれぞれ設けられる。
【００４９】
また、吸着布３が上下に移動できるように上下移動経路の固定化孔３ａが第２流入口１ａの上部と下部に形成される場合、第２流入口１ａの下部に設けられる固定化孔３ａは、水が吸入配管１の下側の固定化孔３ａを介して流入すると、吸入配管１の前方の第２流入口１ａから水を吸入する力が弱くなり、よって、水面の汚染された水の吸入が弱くなる。吸入配管１の下側の固定化孔３ａを介して汚染されていない水が流入するため、第２流入口１ａの下部の固定化孔の前と後ろに、水が流入しないように弾力的な素材で水防用部材が設けられ、これらを互いに圧着することにより水が流入しないようにするとともに、その他の第２流入口１ａの下部の固定化孔の側面も壁のように形成されて水の流入を遮断する。
【００５０】
このような第１ローラー４と第２ローラー７は、吸着布３が巻かれた状態で、電動機の周期的または継続的な回転の際に吸着布３をローリングさせることにより、吸着布３が第２流入口１ａで周期的または継続的に移動するようにして吸着布３の新しい面が水上汚濁物を吸着することができるようにするため、吸着効率を増加させる役割を果たす。
【００５１】
ここで、本発明の一実施例に係る水上汚濁物除去装置は、第１結合具９及び第２結合具１０をさらに含んで構成できる。
【００５２】
前記第１結合具９は、締結部材や溶接部などの結合手段であって、上部ケース６と吸入配管１とを結合させる。
【００５３】
前記第２結合具１０は、締結部材や溶接部などの結合手段であって、下部ケース８と吸入配管１とを結合させる。
【００５４】
このような第１結合具９と第２結合具１０を用いて上部ケース６と下部ケース８が吸入配管１に結合されるようにすることにより、吸入配管１、第１ローラー４、上部ケース６、第２ローラー７、下部ケース８及び吸入ポンプ２が一体型に構成されるようにして、本発明の一実施例に係る水上汚濁物除去装置を水域で移動させながら使用することができる。
【００５５】
ここで、本発明の一実施例に係る水上汚濁物除去装置を移動させながら使用する一例として、水上汚濁物除去装置を船舶、潜水艇、ロボット船舶、ＲＣ船舶、ロボット潜水艇、及びＲＣ潜水艦などの水上輸送装置に結合した状態で、水上運送装置を移動させながら水上汚濁物を除去させると、水上汚濁物の防除作業の際に防除作業効率を向上させることができる。
【００５６】
また、本発明の一実施例に係る水上汚濁物除去装置は、格子状支え膜１３をさらに含むことができる。
【００５７】
前記格子状支え膜１３は吸入配管１の流入口１ａに設置される。このような格子状支え膜１３は、吸着布３を支持することにより、ポンプの吸入力によって吸着布３が吸入配管側に後方に偏ることを防止する支え膜の機能を果たす。
【００５８】
また、本発明の一実施例に係る水上汚濁物除去装置は、浮力装置１４をさらに含むことができる。
【００５９】
前記浮力装置１４は、スタイロフォームや空気袋などのように浮力を発生させる構成であって、吸入配管１の周辺に結合される。
【００６０】
このような浮力装置１４は、吸入配管１が水面上に浮くように浮力を提供して水上汚濁物除去装置が水面の上で移動できるようにし、浮力の提供を受けた吸入配管１は、流入口１ａの下部空間が水面の下に配置されるようにし、流入口１ａの上部空間が水面の上部に配置されるようにすることにより、吸入配管１が水中に完全に浸からないようにして、水面に浮遊する油などの浮遊物形態の水上汚濁物を非常に容易に除去することができる。
【００６１】
一方、吸入配管１の内側に形成される内側配管の第１流入口１ｃは水面の下に浸かるようになり、ポンプの第１流入口１ｃの前方に、第１流入口１ｃを隙間なく包み込むもう一つの、第１流入口１ｃよりも直径の大きい第２流入口１ａを有する吸入配管が配置されるが、第２流入口１ａは水面の上部と下部の間にまたがるように形成されるようにして、吸入配管１が水中に完全に浸からないようにすることで、水面に浮遊する油などの浮遊物形態の水上汚濁物を非常に容易に除去することができる。
【００６２】
図４は図３の吸入配管１の流入口１ａに延長配管１５をさらに設置した状態で延長配管１５に長さ調節管１６を設置した状態の構成図である。
【００６３】
図４に示すように、本発明の一実施例に係る水上汚濁物除去装置は、延長配管１５、長さ調節管１６及び長さ調節装置１７をさらに含むことができる。
【００６４】
前記延長配管１５は、吸入配管１の流入口１ａと連通するように吸入配管１の流入口１ａに結合される。
【００６５】
前記長さ調節管１６は、蛇腹管や弾性ホースなどのように長さが可変できるものであって、流入口１ａに設置されるか、或いは図４に示すように延長配管１５と連通するよう延長配管１５に設置される。
【００６６】
前記長さ調節装置１７は、油圧シリンダのように移送可能な構成であって、長さ調節管１６の側部に結合される。油圧シリンダの場合、移動するロッドの軸端が長さ調節管１６に結合され、他端が吸入配管１または延長配管１５に結合されて構成される。このような長さ調節装置１７は、外部信号の入力時に駆動され、長さ調節管１６の長さを調節する。
このような長さ調節管１６は、長さ調節装置１７によって長さが調節されることにより、本実施例の水上汚濁物除去装置を用いて、水中にある水上汚濁物を選択的に除去することができる。
【００６７】
この場合、本発明の一実施例に係る水上汚濁物除去装置は、水中カメラ１８及びモニター１９をさらに含むことができる。
【００６８】
前記水中カメラ１８は流入口１ａの周辺に設置される。
前記モニター１９は、水中カメラ１８と連動し、水中カメラ１８で撮影した映像の入力を受けて出力する。
【００６９】
このような水中カメラ１８とモニター１９は、作業者に水中の状態を知らせることにより、作業者が水中の水上汚濁物をモニター１９を介して確認した状態で、長さ調節装置１７を用いて長さ調節管１６の吸入口１６ａの吸入位置を選択的に調節することにより、水上汚濁物を容易に除去することができる。
【００７０】
ここで、本発明の一実施例に係る水上汚濁物除去装置は照明部２０をさらに含むことができる。
【００７１】
前記照明部２０は、長さ調節管１６の流入口１ａまたは吸入配管１の流入口１ａの周辺に設置されるが、水中カメラ１８の撮影方向に光を照射するように設置される。
【００７２】
このような照明部２０は、水中カメラ１８が撮影する方向に光を照射することにより、照度の低い水中でも水中カメラ１８から容易な撮影映像を確保することができるようにする。
【００７３】
以上の如く、本発明では、具体的な構成要素などの特定事項と限定された実施例及び図面によって説明されたが、これは本発明のより全般的な理解を助けるために提供されたものに過ぎない。本発明は、前述した実施例に限定されるものではなく、本発明の属する分野における通常の知識を有する者であれば、このような記載から多様な修正及び変形が可能である。
【００７４】
したがって、本発明の思想は説明された実施例に限定されて定められてはならず、後述する特許請求の範囲だけでなく、この特許請求の範囲と均等または等価的変形があるすべてのものは本発明の思想の範疇に属するというべきである。
【産業上の利用可能性】
【００７５】
最近、油を輸送する精油船舶の衝突事故などにより油が海水に流出して海水面が汚染される事故が頻繁に発生しているが、本発明は、吸着布を利用するため水域生態系に影響を与えないうえ、汚染されていない吸着布を周期的または継続的に流入口に配置させて汚濁物を除去するから、手作業で吸着していた従来の方式よりも非常に効率的な方式で水上汚濁物を除去することができるという効果を発揮する。よって、油が海水に流出する事故が一度発生すると、被害補償額が略２０００億に達する。被害復旧について事故記録の一例を参照すると、次のとおりである。
【００７６】
２００７年１２月７日に発生した西海岸泰安沖の原油流出事故は、香港船籍のタンカー「Ｈｅｂｅｉ Ｓｐｉｒｉｔ」とサムスン物産所有の「サムスン１号」とが衝突し、タンカーのタンクにあった総１２，５４７ｋｌの原油が泰安海域に流出した事故である。仁川大橋工事を終えたサムスン１号のクレーン浮き船（動力のない船）をタグボートが慶南巨済に曳いていく過程でワイヤーが破断し、浮き船が近くの海に停泊していたタンカーと衝突して起きた事故である。
【００７７】
初期に波が強くて迅速な対応措置ができなかったうえ、原油がオイルフェンスを越えて被害が大きくなった。破損したタンカーの穴は二日後にやっと塞がれたが、既に泰安郡の養殖場、漁場など約８千ヘクタールが原油に汚染された。原油が固まったタールの塊は、益々急速に広がり、１２月３０日には全羅南道にまで到達し、２００８年１月３日には済州島の北楸子島からも発見された。専門家たちは、タールの塊がこんなに速く拡散したのには、潮流や強風などの気象の原因もあったが、関係当局が阻止線の構築に疎かだったからだと言う。
【００７８】
政府が泰安生態系を調査した結果、油流出事故前に比べて海の中の生物の個体数が半分ほど減ったという。ニュースでも、今後５年くらいは経ってからようやく貝類が戻ってくるだろうし、１０年くらいは経ってから以前と同様になるだろうと予想している。海苔や青海苔などの海藻類は平均４３％減少し、甲殻類の個体数も急激に減少し、紫貽貝及びアナジャコの体の中からはベンゼン化合物と銅、カドミウムなどの重金属まで発見されたという。干潟堆積物の中にある油成分の濃度も事故前に比べて５倍以上に増加した。悩みが一つや二つではない。しかし、泰安郡民と国民の努力で、今では多く回復された。
【００７９】
［ネイバー知識百科］原油流出−泰安海を飲み込んでしまった「黒い金」（すごい海の旅、２００９．１２．１、ｐｕｒｕｎｇｉｌ）
【００８０】
原油流出により、原状回復に１０年はかかるほど膨大な復旧期間と莫大な被害が発生することになるが、油の拡散速度が速いので、迅速な除去装置や方法が必要とされる。本発明が提供する装置で油を除去すると、投入台数によって２〜３日以内にも完全に油が除去できると判断される。
【符号の説明】
【００８１】
１      吸入配管
２      吸入ポンプ
３      吸着布
４      第１ローラー
５      第１電動機
６      上部ケース
７      第２ローラー
８      下部ケース
９      第１結合具
１０    第２結合具
１３    格子状支え膜
１４    浮力装置
１５    延長配管
１６    長さ調節管
１７    長さ調節装置
１８    水中カメラ
１９    モニター
２０    照明部
【図１】
2017505863.tif 000003
【図２】
2017505863.tif 000004
【図３】
2017505863.tif 000005
【図４】
2017505863.tif 000006
【国際調査報告】
2017505863.tif 000007
2017505863.tif 000008
2017505863.tif 000009
2017505863.tif 000010
2017505863.tif 000011
2017505863.tif 000012